(57)【要約】【課題】  透過原稿上に載っているゴミ・キズ検出を、ユーザーが望む検出精度で行うことが可能な画像読取装置を提供する。【解決手段】  透過原稿のゴミ・キズ情報を検出する検出精度を設定し（Ｓｔｅｐ２）、透過原稿の可視画像を読み取り（Ｓｔｅｐ３）、前記Ｓｔｅｐ２で設定した検出精度にもとづいて前記透過原稿のゴミ・キズ情報を検出し（Ｓｔｅｐ５）、  前記Ｓｔｅｐ３で読み取った可視画像を前記Ｓｔｅｐ５で検出したゴミ・キズ情報を用いて補正する。【選択図】        図１
2005269353.tif 000002
【特許請求の範囲】
【請求項１】
透過原稿の可視画像を読み取る画像読取手段と、
前記透過原稿のゴミ・キズ情報を検出する検出手段と、
前記検出手段の検出精度を設定する設定手段と、
前記画像読取手段で読み取った可視画像を前記検出手段で検出したゴミ・キズ情報を用いて補正する補正手段と、
を備えたことを特徴とする画像読取装置。
【請求項２】
請求項１に記載の画像読取装置において、
前記設定手段で設定する検出精度の設定パラメータに応じて、ゴミ・キズ検出の際の画像読み取り解像度を変更することを特徴とする画像読取装置。
【請求項３】
請求項１または２に記載の画像読取装置において、
前記補正手段で補正する際に、前記検出手段で検出したゴミ・キズ情報の画像解像度を、可視画像の読み取り解像度に合わせて変換することを特徴とする画像読取装置。
【請求項４】
透過原稿のゴミ・キズ情報を検出する検出精度を設定するステップＡと、
透過原稿の可視画像を読み取るステップＢと、
前記ステップＡで設定した検出精度にもとづいて前記透過原稿のゴミ・キズ情報を検出するステップＣと、
前記ステップＢで読み取った可視画像を前記ステップＣで検出したゴミ・キズ情報を用いて補正するステップＤと、
を備えたことを特徴とする画像読取方法。
【請求項５】
請求項４に記載の画像読取方法を実現するためのプログラム。
【発明の詳細な説明】
【技術分野】
【０００１】
本発明は、透過原稿を読み取る画像読取装置に関し、特にそのゴミ・キズの補正に関するものである。
【背景技術】
【０００２】
近年、通信ネットワークの発達、コンピュータの高速化及び記憶媒体の大容量化に伴い、カラー画像情報を取り扱う上で、より高画質化が望まれるようになってきており、中でもスキャナなどで取りこんだカラー画像情報をより正確に高速，高画質で読み取りたいという要求が高まってきている。
【０００３】
また、写真フィルムの画像読み取りに対する要求も、複数コマを有するスリーブ形態の写真フィルム画像情報をより正確に、かつ高速及び高画質で読み取りたいという要求も高まってきている。
【０００４】
より高画質に写真フィルムを読み取る手段として、写真フィルム上のゴミ・キズ除去処理手段を有する提案としては、下記特許文献１が挙げられる。同提案によれば、ゴミ・キズ情報を検出するための赤外ＬＥＤと画像情報読み取りのための光源を有する面光源として構成されており、ゴミ・キズ情報を除去された画像を読み取ることが可能となっている。
【０００５】
図３は、この種の、ゴミ・キズ補正機能を有する、書類原稿等（反射原稿）と写真フィルム（透過原稿）をそれぞれ読み取り可能とする画像読取装置の一例を示す断面図である。
【０００６】
画像読取装置１には、写真フィルム２０を読み取る際に必要な透過原稿用照明装置２が設置され、画像読取装置制御基板３から制御可能なように透過原稿用光源点灯インバータ４とＩ／Ｆケーブル５によって電気的に接続されている。同図では、被読み取り透過原稿を可視光、及び赤外光で照射するための透過原稿用光源６を有していることを示している。
【０００７】
また、被読み取り原稿の画像をＣＣＤイメージセンサ７に光学的に結像するために必要な、第１反射ミラー８，第２反射ミラー９，第３反射ミラー１０，第４反射ミラー１１，第５反射ミラー１２，レンズ１３，可視光用光路長補正ガラス２１、さらに書類原稿等を照射するための反射原稿用照明光源１４を一体の移動部材とする光学ユニット１５は、画像読取装置制御基板３と信号ケーブル１６により電気的に接続されているモータ１７によって、矢印の向きに走査しながら画像を読み取る構成となっている。
【０００８】
また、可視光用光路長補正ガラス２１は、倒したり立てたりすることによって、光路から外したり、入れたりすることが可能となっている。ＣＣＤイメージセンサ７と画像読取装置制御基板３は、信号ケーブル１８によって電気的に接続されている。画像読取制御基板３は、外部インターフェース１９に接続されており、この外部インターフェース１９を介して外部から画像読取装置制御基板３を制御し、ＣＣＤイメージセンサ７により光電変換された電気信号を画像データとして外部へ出力する。
【０００９】
フィルム原稿２０のゴミ・キズ情報を検出するために、透過原稿用光源６から赤外光を照射し、可視光用光路長補正ガラス２１を倒して、フィルム原稿表面で赤外光のピントが合うように光路長を調整する。この状態で、画像読取装置制御基板３を用いて、光学ユニット１５を制御することで、赤外光を照射してフィルム原稿を走査した画像データが得られる。
【００１０】
図４は、画像読取装置１内の画像読取部２１から出力される画像データに対し、ゴミ・キズ補正を行うゴミ・キズ除去部２２の機能構成を示すブロック図であり、コンピュータで構成され、操作部２９によりユーザーから操作される。
【００１１】
画像読取部２１から透過原稿用光源６の可視光で読み込まれた画像データは、インターフェース２３を通り、透過原稿用画像メモリ２４に蓄積される。画像読取部２１から透過原稿用光源６の赤外光で読み込まれた画像データは、インターフェース２３を通り、ゴミ・キズ検出画像メモリ２５に蓄積される。
【００１２】
ゴミ・キズ情報検出部２６において、ユーザーにあらかじめ選択させておいたゴミ・キズ補正を行うためのパラメータを基に、画像メモリ２５に蓄えられた画像データから、ゴミ・キズ情報を検出する。ゴミ・キズ補正処理部２８によって、ユーザーにあらかじめ選択させておいたゴミ・キズ補正を行うためのパラメータを基に、検出されたゴミ・キズ情報にもとづいて、画像メモリ２４に蓄えられた画像データに補正を掛ける。
【特許文献１】特開２００２−２８１２５０号公報
【発明の開示】
【発明が解決しようとする課題】
【００１３】
前述の従来例では、ゴミ・キズ補正を行うためのパラメータを指定することが出来るが、ゴミ・キズ情報を検出するための精度に関する指定を行うことが出来なかった。
【００１４】
このため、ゴミ・キズ情報の精度を犠牲にしても高速にゴミ・キズ補正を行ったり、速度を犠牲にしても高精度のゴミ・キズ情報からゴミ・キズ補正を行ったりすることが出来ず、常に一律の精度のゴミ・キズ情報を用いて処理しなければならなかった。
【００１５】
本発明は、このような状況のもとでなされたもので、透過原稿におけるゴミ・キズ検知を、ユーザーが望む検出精度で行うことのできる画像読取装置を提供することを課題とするものである。
【課題を解決するための手段】
【００１６】
前記課題を解決するため、本発明では、画像読取装置を次ぎの（１）のとおりに構成し、画像読取方法をつぎの（２）のとおりに構成する。
【００１７】
（１）透過原稿の可視画像を読み取る画像読取手段と、
前記透過原稿のゴミ・キズ情報を検出する検出手段と、
前記検出手段の検出精度を設定する設定手段と、
前記画像読取手段で読み取った可視画像を前記検出手段で検出したゴミ・キズ情報を用いて補正する補正手段と、
を備えた画像読取装置。
【００１８】
（２）透過原稿のゴミ・キズ情報を検出する検出精度を設定するステップＡと、
透過原稿の可視画像を読み取るステップＢと、
前記ステップＡで設定した検出精度にもとづいて前記透過原稿のゴミ・キズ情報を検出するステップＣと、
前記ステップＢで読み取った可視画像を前記ステップＣで検出したゴミ・キズ情報を用いて補正するステップＤと、
を備えた画像読取方法。
【発明の効果】
【００１９】
本発明によれば、透過原稿上に載っているゴミ・キズ検出を、ユーザーが望む検出精度で行うことが可能となる。
【発明を実施するための最良の形態】
【００２０】
以下本発明を実施するための最良の形態を、画像読取装置の実施例により詳しく説明する。なお、本発明は、装置の形に限らず、実施例の説明に裏付けられて、方法の形で実施することもできる。
【実施例１】
【００２１】
実施例１である”画像読取装置“について説明する。本実施例の画像読取装置のハードウェア構成，機能は、従来例と同様なので、図３，４とその説明を援用する。
【００２２】
以下に、本画像読取装置の透過原稿読み取り動作を図１のフローチャートに従って説明する。
【００２３】
ステップ１において、ユーザーが必要とする可視画像の読取解像度を図２の操作部２９におけるボタン３１より入力する。操作部２９によってユーザーからの読み取り画像の解像度が画像読取装置１に入力される。ユーザーからの入力が無い場合は、デフォルトの解像度、または前回の入力で設定された解像度をボタン３１に表示して、ユーザーが確認する。
【００２４】
ステップ２において、ユーザーが必要とするゴミ・キズ情報の検出精度を図２の操作部２９のボタン３２より入力する。操作部２９によってユーザーからのゴミ・キズ情報の検出精度が画像読取装置１に入力される。
【００２５】
本実施例では、ゴミ・キズ情報の検出精度として「高速，標準，高精度」の三種類を用意した。「高速」を選んだ場合、ゴミ・キズ情報の検出精度は低精度になるが、ゴミ・キズ検出画像は高速に読み取ることが出来る。「高精度」を選んだ場合、ゴミ・キズ情報の検出精度は高精度になるが、ゴミ・キズ検出画像を読み取る速度は遅くなる。「標準」の場合は両者の中間的な精度と読み取り速度になる。
【００２６】
また、ステップ１において、画像読取装置１が読み取ることが出来る最大の解像度を指定した場合、ゴミ・キズ検出画像は、その解像度以上には設定できないため、「高精度」をユーザーに選択できないようにしたり、画像読取装置１が読み取ることが出来る最小の解像度を指定した場合、ゴミ・キズ検出画像は、その解像度以下には設定できないため、「高速」をユーザーに選択できないようにしたりすることが出来る。
【００２７】
ステップ３において、ステップ１で設定された解像度で可視画像を読み取る。
【００２８】
ステップ４におてい、ステップ２で設定された精度から、ゴミ・キズ検出画像を読み取る解像度を決定する。例えば、可視画像の読取り解像度が１２００ｄｐｉであったとき、「高速」が指定された場合は６００ｄｐｉ、「標準」が指定されたときは１２００ｄｐｉ、「高精度」が指定されたときは２４００ｄｐｉといったように、ゴミ・キズ検出画像を読み取る解像度を決定する。
【００２９】
ステップ５において、決定された解像度でゴミ・キズ検出画像を読み取る。
すなわち、ゴミ・キズ検出のための赤外光が透過原稿に照射され、照射光束はネガ、ポジ等の透過原稿の画像の濃度によらず透過し、物理的に光路を遮る埃、ゴミ・キズ等の像がＣＣＤ７上に蔭として投影される。ＣＣＤ７上に投影された赤外光画像は電気信号に変換され、ゴミ・キズ検出画像メモリ２５に一時記憶される。
【００３０】
ステップ６において、ゴミ・キズ検出画像からゴミ・キズ情報を検出する。
すなわち、ゴミの部分の階調レベルは、透過原稿の画像の濃度によらずに当然低くなっている。ゴミ以外の部分は赤外光が通過してしまうためにほぼ一定のレベルとなる。そこでゴミ・キズ情報検出部２６で、このレベルよりも低い階調レベルに閾値を設定し、閾値以下の部分を抽出することでゴミ・キズによる欠陥領域の情報を検出する。
【００３１】
ステップ７において、ステップ６において検出された情報を、可視画像に対し適用できるように、ゴミ・キズ情報変換部２７で変換する。たとえば、可視画像の読み取り解像度が１２００ｄｐｉであった場合に、ゴミ・キズ検出画像を６００ｄｐｉで読んだときは、ゴミ・キズ情報は６００ｄｐｉの情報であるため、そのままでは使用することが出来ない。そこで、ゴミ・キズ情報の画像を２倍に拡大することで１２００ｄｐｉの画像に適用できるように変換を行う。
【００３２】
ステップ８において、読み取った可視画像と、変換されたゴミ・キズ情報を元に、画像補正を加える。
すなわち、ゴミ・キズ補正処理部２８で、可視画像におけるゴミ・キズによる欠陥領域を、赤外光で検出した欠陥領域で特定し、可視画像の欠陥領域をその周囲の正常な領域から補間処理などを行うことにより補正し、ゴミによる影響を軽減する。
【００３３】
以上説明したように、本実施例によれば、ユーザーが必要に応じてゴミ・キズ情報の検出精度を設定することにより、ユーザーが望む検出精度でゴミ・キズ検出を行うことが可能となる。
【００３４】
（実施例の変形）
本発明は、前記実施例の機能を実現するソフトウェアのプログラムコードを記録した記憶媒体、または記録媒体が、システム、または装置に付随し、そのシステム、または装置のコンピュータ（処理演算装置を含む）が記憶媒体、または記録媒体に記録されたソフトウェアのプログラムコードを読み出し、実行することによっても達成される。この場合、記憶媒体、または記憶媒体から読み出されたソフトウェアのプログラムコードが前記した実施例の機能を実現することになる。
【００３５】
また、システム、または装置のコンピュータが読み出したソフトウェアのプログラムコードを実行することにより、前記した実施例の機能が実現するだけでなく、そのソフトウェアのプログラムコードの内容にもとづき、コンピュータ上で稼動しているオペレーションシステムが実際の処理の一部、または全部を担い、その処理によって前記した実施例の機能が実現することになる。
【００３６】
記憶媒体、または記録媒体から読み出されたソフトウェアのプログラムコードが、システム、または装置のコンピュータに付随する機能を拡張するためのハードウェアに備わる記憶媒体、または記録媒体に移された後、そのソフトウェアのプログラムコードの内容にもとづき、システム、または装置のコンピュータに付随する機能を拡張するためのハードウェアに備わる処理演算装置などが、実際の処理の一部、または全部を担い、その処理によって前記した実施例の機能が実現することになる。
【図面の簡単な説明】
【００３７】
【図１】実施例１の動作を示すフローチャート
【図２】操作部の表示例を示す図
【図３】従来例の構成を示す概略断面図
【図４】従来例のゴミ・キズ除去部の構成を示すブロック図
【符号の説明】
【００３８】
３１    ボタン
３２    ボタン
【図１】
2005269353.tif 000003
【図２】
2005269353.tif 000004
【図３】
2005269353.tif 000005
【図４】
2005269353.tif 000006